(57)【要約】【課題】画像読取装置において、原稿の画像面をライン状に照射する光源を、低コストで交換する。【解決手段】コンタクトガラス上に、種々のサイズの原稿を載置し、光源１２によって原稿の画像面を照射しながら、光源１２を右方に移動させることで、画像面全体を照射して、画像を読み込む。光源１２は、点光源である複数のＬＥＤ素子をライン状に配列して構成する。例えば、２個のＬＥＤ素子Ｌ１，Ｌ２と補助基板６０とを一体にユニット化して、光源用メイン基板２５に対して着脱可能な光源ユニットＵ１を構成する。複数の光源ユニットを整列させて光源１２を構成する。１個のＬＥＤ素子が点灯しなくなったら、そのＬＥＤ素子を含む光源ユニットのみを個別に交換する。【選択図】図５
2007300304.tif 000002
【特許請求の範囲】
【請求項１】
原稿の画像面をライン状に照射する光源と、前記ラインに対して前記原稿が直交する方向に移動するように前記光源と前記原稿とを相対移動させる移動装置と、を備えた照明装置において、
前記光源は、複数の光源素子をライン状に整列させて構成されるとともに、１又は２以上の前記光源素子と補助基板とを含む２以上の光源ユニットに分割されていて、分割された前記光源ユニットごとに個別に交換可能である、
ことを特徴とする照明装置。
【請求項２】
前記光源は、前記複数の光源素子が、前記ライン方向に沿って前記原稿の画像面をむら無く照射できる所定のピッチで整列されている、
ことを特徴とする請求項１に記載の照明装置。
【請求項３】
前記複数の補助基板に電力を供給する回路が形成されたメイン基板と、
前記メイン基板に配設されて前記補助基板を介して前記光源ユニットごとに着脱自在に保持するホルダと、を備え、
前記補助基板は、前記ホルダに装着されることで、前記回路と導通する電極を有する、
ことを特徴とする請求項２に記載の照明装置。
【請求項４】
前記光源は、照射対象となる前記原稿のうちの前記ライン方向の照射幅が最小となるその原稿の前記照射幅に対応する個数の前記光源素子及び前記補助基板によって構成された前記光源ユニットを有する、
ことを特徴とする請求項１乃至３のいずれか１項に記載の照明装置。
【請求項５】
前記光源は、照射対象となる前記照射幅の異なる複数種の前記原稿の、前記照射幅の差分に対応する個数の前記光源素子及び前記補助基板によって構成された前記光源ユニットを有する、
ことを特徴とする請求項１乃至３のいずれか１項に記載の照明装置。
【請求項６】
前記光源素子がＬＥＤ素子である、
ことを特徴とする請求項１乃至５のいずれか１項に記載の照明装置。
【請求項７】
光源と原稿とを相対移動させながら前記原稿の画像面を照射する照明装置と、前記照明装置から出射されて前記原稿の画像面で反射された反射光により画像を結像する結像レンズと、固体撮像素子とを備えた画像読取装置において、
前記照明装置が、請求項１乃至６のいずれか１項に記載の照明装置であることを特徴とする画像読取装置。
【発明の詳細な説明】
【技術分野】
【０００１】
本発明は、複数の光源素子をライン状に整列させて光源を構成する照明装置、及びこれを備えた画像読取装置に関する。
【背景技術】
【０００２】
複写機，プリンタ等の画像形成装置に使用される画像読取装置において、ライン状の光源を備えた照明装置が知られている。このものは、読取幅に沿ったライン状の光源に対して、そのラインに直交する方向に原稿を相対移動させながら、光源で原稿を照射するものである。原稿からの反射光は、結像レンズを介してＣＣＤ等の撮像素子で受光され、これにより、原稿の画像面が読み取られる。このような照明装置において、従来、光源としては、棒状の蛍光灯やキセノンランプが使用されていた。
【０００３】
上述の蛍光灯やキセノンランプは、前者については蛍光管の内面全体に塗布された蛍光体が、また後者については外管の内面全体に被膜された紫外線反射膜が、いずれも面状に発光するため、照射むらが発生しにくいという利点がある。反面、これらの光源は、消費電力が大きい、発熱量が多い、寿命が短い等の欠点があった。
【０００４】
この欠点を解消する光源として、点光源としての光源素子（例えばＬＦＤ素子）を複数個、ライン状に整列させて、光源ユニットを構成したものが提案されている（例えば、特許文献１参照）。ＬＥＤ素子は、一般に、消費電力が小さい、発熱量が少ない、寿命が長い等の利点がある。
【０００５】
【特許文献１】特開２００２−３２００７４号公報
【発明の開示】
【発明が解決しようとする課題】
【０００６】
ここで、上述の特許文献１で開示されている光源は、破損等によって、複数の光源素子のうちの１個でも点灯しなくなった場合、読み取った画像情報に基づいて複写機やプリンタによってシート上にトナー像を形成すると、その光源素子に対応する箇所に黒筋が発生してしまう。このため、点灯しなくなった光源素子の交換が必要となる。
【０００７】
しかしながら、特許文献１のものは、ライン状に並べた複数の光源素子や基板が一体的に組み付けられて１個の光源ユニットを構成している。したがって、不点灯の１個の光源素子のみを交換することができず、光源ユニット全体を交換することが必要となり、コスト的また省資源の面で不利であるという問題があった。
【０００８】
本発明の目的は、ライン状に整列させた複数の光源素子を有する照明装置において、複数の光源素子を、１又は２以上の光源素子と補助基板とを有する光源ユニットに分割し、光源ユニットごとの交換を可能とすることで、経済性を高め、また省資源に寄与することができる照明装置、及びこれを備えた画像読取装置を提供することにある。
【課題を解決するための手段】
【０００９】
請求項１に係る発明は、原稿の画像面をライン状に照射する光源と、前記ラインに対して前記原稿が直交する方向に移動するように前記光源と前記原稿とを相対移動させる移動装置と、を備えた照明装置に関する。この発明に係る照明装置は、前記光源は、複数の光源素子をライン状に整列させて構成されるとともに、１又は２以上の前記光源素子と補助基板とを含む２以上の光源ユニットに分割されていて、分割された前記光源ユニットごとに個別に交換可能である、ことを特徴としている。
【００１０】
請求項２に係る発明は、請求項１に係る照明装置において、前記光源は、前記複数の光源素子が、前記ライン方向に沿って前記原稿の画像面をむら無く照射できる所定のピッチで整列されている、ことを特徴としている。
【００１１】
請求項３に係る発明は、請求項２に係る照明装置において、前記複数の補助基板に電力を供給する回路が形成されたメイン基板と、前記メイン基板に配設されて前記補助基板を介して前記光源ユニットごとに着脱自在に保持するホルダと、を備え、前記補助基板は、前記ホルダに装着されることで、前記回路と導通する電極を有する、ことを特徴としている。
【００１２】
請求項４に係る発明は、請求項１乃至３のいずれか１項に係る照明装置において、前記光源は、照射対象となる前記原稿のうちの前記ライン方向の照射幅が最小となるその原稿の前記照射幅に対応する個数の前記光源素子及び前記補助基板によって構成された前記光源ユニットを有する、ことを特徴としている。
【００１３】
請求項５に係る発明は、請求項１乃至３のいずれか１項に係る照明装置において、前記光源は、照射対象となる前記照射幅の異なる複数種の前記原稿の、前記照射幅の差分に対応する個数の前記光源素子及び前記補助基板によって構成された前記光源ユニットを有する、ことを特徴としている。
【００１４】
請求項６に係る発明は、請求項１乃至５のいずれか１項に係る照明装置において、前記光源素子がＬＥＤ素子である、ことを特徴としている。
【００１５】
請求項７に係る発明は、光源と原稿とを相対移動させながら前記原稿の画像面を照射する照明装置と、前記照明装置から出射されて前記原稿の画像面で反射された反射光により画像を結像する結像レンズと、固体撮像素子とを備えた画像読取装置に関する。この発明に係る画像読取装置は、前記照明装置が、請求項１乃至６のいずれか１項に係る照明装置であることを特徴としている。
【発明の効果】
【００１６】
請求項１の発明によれば、光源によって原稿の画像面をライン状に照射し、さらに移動装置によって光源と原稿とを、ラインと原稿の移動方向とが直交する方向に相対移動させることで、光源により原稿の画像面全体を照射することができる。この際、例えば、複数の光源素子のうちの１個が寿命、故障、破損等によって点灯しなくなったり、照度が極端に低下したりした場合には、光源全体を交換するのではなく、その点灯しなくなった光源素子と補助基板とを含む光源ユニットを個別に交換すれば十分であるので、経済的であり、省資源化を図ることができる。また、例えば、光源をサービスパーツとして在庫するような場合、その保管場所の省スペース化を図ることができる。なお、本請求項に係る発明には、１個の光源素子と１個の補助基板とで１個の光源ユニットを構成する場合と、複数の光源素子と１個の補助基板とで１個の光源ユニットを構成する場合との双方を含むものである。そして、後者の場合には、光源素子が点灯しなくなった場合には、その光源素子とこれに対応する補助基板のみを交換するようにすればよいので極めて経済的である、という利点がある。また、光源ユニットを２以上の光源素子と１個の補助基板とによって構成する場合には、１個の光源素子と１個の補助基板とによって光源ユニットを構成するものと比較して、経済性や組立性が向上する。なお、一般に、光源素子は小さく（後述するように、例えば、３．５ｍｍ四方）、補助基板はこれよりも大きいので、光源素子と補助基板とによって光源ユニットを構成した場合には、光源素子単体で基板に着脱する場合と比較して、その着脱動作が容易となる。
【００１７】
請求項２の発明によれば、点光源である光源素子を、ライン状に複数、所定のピッチで整列させることで、原稿の画像面をむら無く照射することができる。
【００１８】
請求項３の発明によれば、基板にはホルダが設けてあるので、このホルダに対して補助基板を介して光源ユニットを簡単に着脱することができる。そして、光源ユニットをホルダに装着した場合には、基板側の回路に対して補助基板の電極が導通されるようになる。
【００１９】
請求項４，請求項５は、光源ユニットを原稿の照射幅に基づいて構成する例を示すものである。つまり、光源素子をユニット化する際の根拠を与えるものである。請求項４によれば、最小の照射幅の原稿の、その照射幅に対応する個数の光源素子と補助基板とによって光源ユニットを構成しているので、この光源ユニット内の光源素子が点灯しなくなった場合には、この光源ユニットごと交換することになる。また、請求項５によれば、照射幅の差分に対応する個数の光源素子と補助基板とによって光源ユニットを構成しているので、この光源ユニット内の光源素子が点灯しなくなった場合には、この光源ユニットごと交換することになる。このように、請求項４，請求項５によれば、効果的に光源のユニット化が可能である。
【００２０】
請求項６の発明によれば、光源素子がＬＥＤ素子であるので、消費電力が小さい、発熱量が少ない、寿命が長い等の利点がある。
【００２１】
請求項７の発明によれば、画像読取装置の主要構成要素である照明装置が上述のような効果を挙げることができるので、画像読取装置全体としてもその効果を挙げることができる。
【発明を実施するための最良の形態】
【００２２】
以下、本発明の最良の実施形態を図面に基づき詳述する。なお、以下の各図面においては、説明に不要な部材等は適宜、図示を省略している。
【００２３】
＜実施形態１＞
図１〜図４を参照して、本発明に係る照明装置１０、及びこれを備えた画像読取装置１１について説明する。なお、本実施形態では、複数（２個）のＬＥＤ素子（光源素子）と１個の補助基板とによって１個の光源ユニットが構成されている場合を例に説明する。
【００２４】
図１〜図４のうち、図１，図２は、画像読取装置１１の縦断面を正面側（前側）から見た図であり、さらに、図１は光学系を、また図２は駆動系を説明する図である。図３，図４は、光源１２と原稿のサイズと画像読取時の原稿の位置との関係を説明する上面図であり、さらに、図３は原稿サイズがＡ列，Ｂ列である場合、また図４は原稿サイズがインチサイズである場合を示している。なお、以下の説明では、図１〜図４中における左右を、画像読取装置１１の左右として、また図１，図２中における上下を、画像読取装置１１の上下として、また図３，図４中における下、上をそれぞれ画像読取装置１１の前、後として説明する。さらに、図３，図４中における原稿の上下方向の長さを通紙幅（又は単に「幅」）、左右方向の長さを搬送方向長さ（又は単に「長さ」）とする。
【００２５】
図２に示すように、画像読取装置１１は、照明装置１０と結像レンズ１３とＣＣＤ（固体撮像素子）１４とを備えている。さらに、照明装置１０は、光源１２と駆動装置（移動装置）１５とを備えている。これら光源１２、駆動装置１５、照明装置１０、結像レンズ１３、ＣＣＤ１４は、いずれも直方体状の筐体（フレーム）１６の内側に配設されている。筐体１６は、その上面に開口部１７を有していて、この開口部１７には、透明なコンタクトガラス１８が配設されている。
【００２６】
図３，図４に示すように、コンタクトガラス１８は、その上面に載置されるシート状の原稿のうちの、サイズが最大な原稿よりも大きい長方形状に形成されている。コンタクトガラス１８における、左端には前後方向に長い左指示板２０が、また後端及び前端には、それぞれ左右方向に長い後指示板２１、前指示板２２が配設されている。左指示板２０の後端と後指示板２１の左端とが交差する位置が、読取基準位置Ｐ０となっている。コンタクトガラス１８に載置される原稿は、その１つの角部、すなわち左端でかつ後端に位置する角部（基準の角部）をこの読取基準位置Ｐ０に合わせた位置（所定の位置）に載置される。図３，図４においては、基準の角部を読取基準位置Ｐ０に合わせた状態の種々のサイズの原稿を図示している。ここで、各サイズの原稿における、基準の角部の対角に相当する位置には、それぞれの原稿のサイズ、及び向きを表示してある。例えば、図３中のＢ５，Ａ４は、それぞれの原稿における「長辺」を左指示板２０に合わせたときの原稿の位置を示す。以下、これを原稿の「横置き」という。また、Ｂ５Ｒ，Ａ４Ｒは、それぞれの原稿における「短辺」を左指示板２０に合わせたときの原稿の位置を示している。以下、この「Ｒ」が付されたものを原稿の「縦置き」といって、「横置き」とは区別している。なお、これに従うと、図３中の「Ｂ４」，「Ａ３」については、本来、「Ｂ４Ｒ」，「Ａ３Ｒ」と表記すべきものであるが、これらのサイズの原稿は、横置きすることができず、つまり、一通りの置き方しかできず、区別する必要がないので、簡略化して表記している。
【００２７】
上述の「Ｂ５」，「Ｂ５Ｒ」，「Ａ４」，「Ａ４Ｒ」，「Ｂ４」，「Ａ３」等の表記は，実際は、コンタクトガラス１８上ではなく、左指示板２０及び後指示板２１に表記されている。例えば、左指示板２０における符号Ｐ１，Ｐ２，Ｐ３，Ｐ４で示す位置には、この順に「Ｂ５Ｒ」，「Ａ４Ｒ」，「Ｂ５，Ｂ４」，「Ａ４，Ａ３」という表記なされている。一方、後指示板２１における符号Ｐ５，Ｐ６，Ｐ７，Ｐ８で示す位置には、この順に「Ｂ６Ｒ，Ｂ５」，「Ａ５Ｒ，Ａ４」，「Ｂ５Ｒ」，「Ａ４Ｒ」という表記がなされている。これにより、ユーザは、原稿をコンタクトガラス１８上の所定の位置に載置したときに、その原稿サイズ及び向きを知ることができる。したがって、例えば、原稿の画像読取り結果に基づいて複写機やプリンタによって紙等のシート上に画像を形成するような場合には、画像形成に供されるシートのサイズや向きを選択する際の参考とすることができる。なお、図４中では、原稿サイズを、インチサイズで表示している。図３中のコンタクトガラス１８における、「Ａ４，Ａ３」の通紙幅よりも少し広い幅が、画像の最大読取幅（最大照射幅）となり、また図４中のコンタクトガラス１８における、「１１×１７」の搬送長さよりも少し長い範囲が、画像の最大読取長さ（最大照射長さ）となる。後述する光源１２は、最大読取幅と最大読取長さとに囲まれた最大読取領域全体を照射することができるようになっている。
【００２８】
図１〜図４に示すように、コンタクトガラス１８の左端側の下方には、照明用光学移動枠ユニット２３が配設されている。照明用光学移動枠ユニット２３は、上述の最大読取幅よりも前後方向の長さが長い移動枠２４を有している。この移動枠２４には、光源１２が取り付けられた光源用メイン基板（基板）２５と、凹面鏡２６と、第１ミラー２７が搭載されている。このうち光源用メイン基板２５は、図３，図４に示すように、前後方向の長さが、最大読取幅よりも長くなるように形成されていて、その上面には、光源１２が取り付けられている。本実施形態では、光源１２は、点光源であるＬＥＤ素子Ｌ１〜Ｌ２２を複数（図３，図４では２２個）、前後方向にライン状に整列させて構成している。ここで、ライン状とは、１本の直線上に整列された場合に限らず、例えば千鳥状に整列して、実質的に直線状である場合も含めるものとする。これらＬＥＤ素子Ｌ１〜Ｌ２２は、ライン方向（前後方向）に沿って原稿の画像面をむら無く照射できる所定のピッチＰ（本実施形態では１５ｍｍ）で整列されている。図３，図４において、最後端のＬＥＤ素子Ｌ１の中心から、最前端のＬＥＤ素子Ｌ２２の中心までの距離が、３１５ｍｍ（＝１５ｍｍ×２１）に設定されていて、これらＬＥＤ素子Ｌ１とＬＥＤ素子Ｌ２２との間に、図３に示す例では、通紙幅が最大のＡ４サイズの原稿の長辺（＝２９７ｍｍ）、またはＡ３サイズの原稿の短辺（＝２９７ｍｍ）が入るように、また図４に示す例では、長辺又は短辺の長さが１１インチ（≒２７９ｍｍ）の原稿の長辺又は短辺が入るように設定されている。複数のＬＥＤ素子Ｌ１〜Ｌ２２によって構成された光源１２は、図１に示すように、コンタクトガラス１８の上面に設定されている読取ラインＬを右斜め下方から照射するようになっている。なお、これらＬＥＤ素子Ｌ１〜Ｌ２２や光源用メイン基板２５については後に詳述する。
【００２９】
図１に示すように、凹面鏡２６は、読取ラインＬから下ろした垂線に対して、上述の光源１２とほぼ線対称の位置に配置されている。上述のように、光源１２は、コンタクトガラス１８上の原稿を右斜め下方から照射しているため、原稿の左端に影が形成されて、この影が前後方向の直線上の画像として読み込まれがちである。凹面鏡２６は、光源１２からの光を反射して読取ラインＬに導いて、この影を除去するためのものである。照明用光学移動枠ユニット２３における、読取ラインＬの直下に位置する部分には、第１ミラー２７が配設されている。第１ミラー２７は、左斜め上の４５度を向けた状態で取り付けられている。以上のように、照明用光学移動枠ユニット２３は、移動枠２４に光源１２、光源用メイン基板２５、凹面鏡２６、第１ミラー２７を搭載した状態で、左右方向に敷設したガイド部材（不図示）に沿って左右方向に移動できる。つまり、ライン状（線状）の光源１２に対して、直交する方向に移動することができるようになっている。この照明用光学移動枠ユニット２３は、右方に移動しながら読取ラインＬに向けて光源１２から光を照射し、原稿の画像面からの反射光を次に説明する第２ミラー２８に導くものである。
【００３０】
図１，図２に示すように、コンタクトガラス１８の左端側の下方には、上述の照明用光学移動枠ユニット２３の左方に、反射用光学移動枠ユニット３０が配設されている。反射用光学移動枠ユニット３０は、上述の最大読取幅よりも前後方向の長さが長い移動枠３１を有している。この移動枠３１には、右斜め下４５度を向けた状態で第２ミラー２８が、また右斜め上４５度を向けた姿勢で第３ミラー３２が搭載されている。さらに、この移動枠３１は、その前端と後端とにおいて、可動プーリ３３を回動自在に支持している。以上のように、反射用光学移動枠ユニット３０は、第２ミラー２８、第３ミラー３２、可動プーリ３３を搭載した状態で、左右方向に敷設されたガイド部材（不図示）に沿って左右方向に移動できるようになっている。この反射用光学移動枠ユニット３０は、右方に移動しながら、上述の照明用光学移動枠ユニット２３の第１ミラー２７からの光を第２ミラー２８、第３ミラー３２で反射して後述の結像レンズ１３に導くものである。
【００３１】
図２に示すように、筐体１６の左端近傍には前端と後端とに固定左プーリ３４，３４が、また筐体１６の右端近傍には前端と後端とに固定右プーリ３５，３５がそれぞれ回動自在に配設されている。また、図２中の固定右プーリ３５，３５の下方には、正逆回転可能なモータ３６が配設されている。さらに、モータ３６の左方には、駆動軸３７と一体の駆動プーリ３８が配設されていて、モータ３６の出力軸４０と駆動プーリ３８との間には、駆動ベルト４１が張設されている。駆動軸３７の前端と後端とには、ワイヤドラム４２，４２が固定されており、これらワイヤドラム４２，４２には、それぞれ光学ワイヤ４３，４３が巻き掛けられている。これら光学ワイヤ４３，４３の一方の端部４４，４４は、筐体１６の左側壁４５の内面に固定されている。光学ワイヤ４３，４３は、ここから右方に延びて、反射用光学移動枠ユニット３０の可動プーリ３３，３３の右半部に掛け渡されて左方に折り返し、固定左プーリ３４，３４の左半部に掛け渡された後、右方に折り返して固定右プーリ３５，３５に向かって延びる。さらに、固定右プーリ３５，３５の右半部に掛け渡されて左方に延び、途中で照明用光学移動枠ユニット２３に固定された後、さらに左方に延びて、可動プーリ３３，３３の左半部に掛け渡されて右方に折り返し、レンズ取付台４６上に突設されたフック４７に係止される。このような光学ワイヤ４３，４３の引き回しに基づき、モータ３６が図２中の反時計回りに回転すると、駆動ベルト４１、駆動プーリ３８、駆動軸３７を介して、ワイヤドラム４２，４２が同じく反時計回りに回転する。これに伴い、光学ワイヤ４３，４３に引かれて、照明用光学移動枠ユニット２３及び反射用光学移動枠ユニット３０が右方に移動する。この際、反射用光学移動枠ユニット３０は、その可動プーリ３３，３３がいわゆる動滑車として作用するため、移動距離が照明用光学移動枠ユニット２３の移動距離の半分となる。これにより、照明用光学移動枠ユニット２３及び反射用光学移動枠ユニット３０の移動にかかわらず、コンタクトガラス１８から結像レンズ１３に至る光路長が一定に保持されて、次に説明する結像レンズ１３を通過した光がＣＣＤ１４上で像を結ぶようになっている。なお、本実施形態では、上述のように光源１２を移動させるための構成全体が駆動装置（移動装置）に相当する。
【００３２】
図２に示すように、結像レンズ１３は、上述のレンズ取付台４６に固定されたレンズ取付板４８上に固定されている。光源１２から照射された光は、原稿の画像面で反射されて、同図に示す光路Ｋをたどる。すなわち、画像面からの反射光は、第１ミラー２７、第２ミラー２８、第３ミラー３２で反射されて結像レンズ１３に入射される。入射された光は、次に説明するＣＣＤ１４上で結像される。
【００３３】
ＣＣＤ１４は、その左端面に固定されて上端部５０が左方に折曲されたＣＣＤ取付板５１を介して、上述のレンズ取付台４６に固定する「コ」字形のＣＣＤ調整板５２に取り付けられている。ＣＣＤ調整板５２の前端部と後端部には、内径に雌ねじが螺刻されたボス５３，５３が固定されていて、これらのボス５３，５３には、ＣＣＤ取付板５１の上端部５０を貫通したピン５４，５４が螺合されている。さらに、ＣＣＤ取付板５１とＣＣＤ調整板５２との間には、圧縮ばね５５，５５が介装されていて、ＣＣＤ取付板５１を上方に付勢している。この状態で、ピン５４，５４を時計回りあるいは反時計回りに回すことで、ＣＣＤ取付板５１を介してＣＣＤ１４の高さ位置を微調整することができる。この微調整をＣＣＤ１４の前端部及び後端部で行うことで、ＣＣＤ１４の上下方向の位置調整を行うことができるようになっている。
【００３４】
以上のように、光学系の光源１２によって原稿の画像面を読取ラインＬに沿って照射（主走査）し、さらに駆動系によって読取ラインＬを右方に移動させて走査（副走査）することにより、原稿の画像面をその全領域にわたってＣＣＤ１４で順次に読み取ることができる。
【００３５】
図５（ａ），（ｂ），（ｃ）を参照して、光源用メイン基板２５に対して光源ユニットＵ１を着脱するための構造及びその着脱動作を説明する。このうち図５（ａ）は図３，図４中の最後端のＬＥＤ素子Ｌ１及びその前側のＬＥＤ素子Ｌ２近傍の拡大図であり、光源用メイン基板２５に１個の光源ユニットＵ１を個別に装着した状態を示している。（ｂ）は（ａ）のＡ−Ａ線矢視図である。（ｃ）は（ａ）のＢ−Ｂ線矢視図である。本実施形態では、図３，図４に示すように、光源１２は、複数（２２個）のＬＥＤ素子Ｌ１〜Ｌ２２をライン状に整列させて構成されている。そして、光源１２は、１又は２以上のＬＥＤ素子と補助基板とを含む２以上の光源ユニットに分割されていて、分割された光源ユニットごとに個別に交換可能となっている。さらに、本実施形態では、２個のＬＥＤ素子Ｌ１，Ｌ２と１個の補助基板６０とによって１個の光源ユニットＵ１を構成している。
【００３６】
図５に示すように、ＬＥＤ素子Ｌ１，Ｌ２は、１辺の長さが例えば３．５ｍｍの正方形の板状に構成されていて、前後方向に長い長方形（短辺の長さＸ、長辺の長さＹ）の板状の補助基板６０の上面６１に固定されている。この状態で、２個のＬＥＤ素子Ｌ１，Ｌ２の中心間距離、すなわちピッチＰは、上述のように１５ｍｍに設定されている。
【００３７】
図５に示すように、光源用メイン基板２５における上面６３には、光源ユニットＵ１を取り付けるためのホルダとして、３対のフック６４，６５、フック６６，６７、フック６８，６９が突設されている。このうちフック６４，６５は、ＬＥＤ素子Ｌ１の前後方向の中心に対応する位置に、またフック６６，６７は、ＬＥＤ素子Ｌ２の前後方向の中心に対応する位置に配設されている。また、フック６８，６９は、ＬＥＤ素子Ｌ１，Ｌ２の左右方向の中心に対応する位置に配設されている。つまりこれらフック６４〜６９は、補助基板６０におけるＬＥＤ素子Ｌ１，Ｌ２の近傍を位置決め保持することになり、これにより、ＬＥＤ素子Ｌ１，Ｌ２の位置決め精度を高めるようにしている。各フック６４〜６９は、いずれも同形に形成されていて、それぞれの内側に、傾斜部ａと爪部ｂとが形成されている。（ｂ）に示すようにフック６４，６５のそれぞれの傾斜部ａ，ａの間隔は、フック６４，６５の先端側が補助基板の短辺の長さＸよりも広く、かつ基端側が長さＸよりも狭くなるように設定されている。また、光源用メイン基板２５から爪部ｂ，ｂまでの高さは、補助基板６０の厚さとほぼ同じに設定されている。フック６６，６７は、上述のフック６４，６５と同様に形成されている。これに対し、（ｃ）に示すように、フック６８，６９は、それぞれの傾斜部ａ，ａの間隔が、フック６８，６９の先端側が補助基板の長辺の長さＹ（＝２Ｘ＋１５）よりも広く、かつ基端側が長さＹよりも狭くなるように設定されている。なお、フック６４〜６９は、これらに対する光源ユニットＵ１の着脱時に弾性変形するようになっている。光源用メイン基板２５の上面６３における、フック６４〜６９に囲まれた面には、電極（不図示）が設けてあり、この面が電極設置面となる。また、光源用メイン基板２５には、補助基板６０に電力を供給するための回路（不図示）が形成されている。
【００３８】
光源用メイン基板２５に対する光源ユニットＵ１の装着に際し、まず、図５に示すように、フック６４〜６９に対して光源ユニットＵ１の向きを合わせ、光源ユニットＵ１をフック６４〜６９に押し込む。補助基板６０がフック６４〜６９の傾斜部ａに係ると、相互に対をなすフック６４，６５、フック６６，６７、フック６８，６９は、補助基板６０により、傾斜部ａ，ａ間が押し広げられるように弾性変形する。そして、各フック６４〜６９は、補助基板６０が傾斜部ａを越えると、爪部ｂが補助基板６０の上面６１に係合される。これにより、光源用メイン基板２５に対する光源ユニットＵ１の装着が完了し、同時に光源用メイン基板２５側の電極設置面と、補助基板６５側の電極設置面とが接触して両者間に導通が図られる。以上の、光源用メイン基板２５に対する光源ユニットＵ１の装着は、実際の作業としては、補助基板６０をフック６４〜６９の間に押し込むという、簡単な動作であり、極めて短時間で行うことができる。
【００３９】
ＬＥＤ素子Ｌ１の装着状態では、補助基板６０の下面は、フック６４〜６９の弾性力により、光源用メイン基板２５の上面に押し付けられる。したがって、光源ユニットＵ１を光源用メイン基板２５から取り外す際には、フック６４〜６９の爪部ｂを開くことにより、簡単に取り外しすることができる。
【００４０】
以上では、最後端に位置する光源ユニットＵ１を取り付けるための、フック６４〜６９等について説明したが、他の光源ユニット（不図示）に対しても、同様の構成を採用することができる。
【００４１】
本実施形態によれば、複数のＬＥＤ素子Ｌ１〜Ｌ２２のうちの１個が寿命、故障、破損等によって点灯しなくなったり、照度が極端に低下したりした場合には、光源１２全体を交換するのではなく、その点灯しなくなったＬＥＤ素子及びこれと一体の補助基板からなる光源ユニットを個別に交換すれば十分であるので、経済的であり、また、省資源化を図ることができる。さらに、例えば、光源１２をサービスパーツとして在庫するような場合、光源ユニットとして在庫することができるので、その保管場所の省スペース化を図ることができる。
【００４２】
つづいて、図３を参照して、１個の光源ユニットに含ませるＬＥＤ素子の個数の決定の仕方の例を説明する。
【００４３】
本実施形態は、光源１２は、２以上の光源ユニットに分割されていて、分割された光源ユニットごとに個別に交換可能に構成されている。
【００４４】
図３に示すように、本実施形態では、原稿の画像面を照射する際に、その原稿のサイズに対応して以下のＬＥＤ素子が使用される。
【００４５】
Ａ６Ｒ：ＬＥＤ素子Ｌ１〜Ｌ９
Ｂ６Ｒ：ＬＥＤ素子Ｌ１〜Ｌ１１
Ａ５Ｒ：ＬＥＤ素子Ｌ１〜Ｌ１２
Ｂ５Ｒ：ＬＥＤ素子Ｌ１〜Ｌ１４
Ａ４Ｒ：ＬＥＤ素子Ｌ１〜Ｌ１６
Ｂ５，Ｂ４：ＬＥＤ素子Ｌ１〜Ｌ１９
Ａ４，Ａ３：ＬＥＤ素子Ｌ１〜Ｌ２２。
【００４６】
ここで、例えば、原稿の最小照射幅（最小読取幅）をＡ６Ｒとすると、上述のＬＥＤ素子Ｌ１〜Ｌ９は、すべての原稿の照射時に使用されることになる。また、Ａ６Ｒよりも１サイズ大きいＢ６Ｒでは、ＬＥＤ素子Ｌ１〜Ｌ９に加え、さらにＬ１０，Ｌ１１が使用されることになる。
【００４７】
そこで、本実施形態では、光源ユニットを構成するに際して、ユニット化するＬＥＤ素子の個数を、最小照射幅、及び原稿の照射幅の差分（通紙幅の差分）に基づいて決定するようにした。すなわち、最小照射幅に対応して、９個のＬＥＤ素子Ｌ１〜Ｌ９と１個の補助基板とによって１個の光源ユニットとした。さらに、照射幅の差分に対応して、以下のようにユニット化した。
【００４８】
Ａ６Ｒ〜Ｂ６Ｒの差分：２個のＬＥＤ素子Ｌ１０，Ｌ１１と１個の補助基板とのユニット化
Ｂ６Ｒ〜Ａ５Ｒの差分：１個のＬＥＤ素子Ｌ１２と１個の補助基板とのユニット化
Ａ５Ｒ〜Ｂ５Ｒの差分：２個のＬＥＤ素子Ｌ１３，Ｌ１４と１個の補助基板とのユニット化
Ｂ５Ｒ〜Ａ４Ｒの差分：２個のＬＥＤ素子Ｌ１５，Ｌ１６と１個の補助基板とのユニット化
Ａ４Ｒ〜Ｂ５，Ｂ４の差分：３個のＬＥＤ素子Ｌ１７，Ｌ１８，Ｌ１９と１個の補助基板とのユニット化
Ｂ５，Ｂ４〜Ａ４，Ａ３の差分：３個のＬＥＤ素子Ｌ２０，Ｌ２１，Ｌ２２と１個の補助基板とのユニット化。
【００４９】
以上のように、本実施形態では、最小照射幅に対応して９個のＬＥＤ素子と１個の補助基板とのユニット化を行い、また、照射幅の差分に対応して、１個，２個，３個のＬＥＤ素子とそれぞれ１個の補助基板とのユニット化を行った。なお、ユニット化に際しては、ユニット化するＬＥＤ素子の個数が同じである場合には、同じ光源ユニットとして取り扱うことが可能である。したがって、上述の例では、ユニット化された光源ユニットとして、そのＬＥＤ素子の個数が、１個，２個，３個，９個のものそれぞれ準備しておけば、十分である。ここで、１個のユニット化とは、１個のＬＥＤ素子と１個の補助基板によって光源ユニットが形成されることを意味する。
【００５０】
なお、図４に示す、原稿のサイズがインチサイズの場合も、上述と同様の考え方でユニット化することができる。
【００５１】
本実施形態によると、光源１２のユニット化を、原稿の照射幅（読取幅）、すなわち最小照射幅、及び照射幅の差分に基づいて設定しているので、無駄のない効率的なユニット化を実施することができる。
【００５２】
以上の実施形態では、コンタクトガラス１８上に原稿をセットする際、原稿の後端を後指示板２１の前端に合わせる、いわゆるサイド基準を採用した例を説明した。本発明は、これに限らず、コンタクトガラス１８上の前後方向の中心に、原稿の通紙幅の中心を合わせる、いわゆるセンター基準を採用した構成に対しても適用することができる。
以上の実施形態では、原稿の画像面を光源１２によって照射する際に、原稿を固定し、光源１２を移動させる場合を例に説明したが、本発明は、これに代えて、光源１２を固定し、原稿を移動させる場合にも同様に適用することができる。なお、原稿を移動させる方法としては、特に限定されるものではなく、例えば搬送ローラによって原稿を搬送する周知の搬送装置を利用することができる。
【産業上の利用可能性】
【００５３】
上述では、本発明の照明装置を画像読取装置に使用する場合を例に説明したが、本発明は、これ以外に例えば、点光源を複数、ライン状に整列させて棒状の光源を構成する場合にも広く適用することができる。
【図面の簡単な説明】
【００５４】
【図１】画像読取装置の縦断面を正面側（前側）から見た図であり、光学系を説明する図である。
【図２】画像読取装置の縦断面を正面側（前側）から見た図であり、駆動系を説明する図である。
【図３】光源と原稿のサイズと画像読取時の原稿の位置との関係を説明する上面図であり、原稿サイズがＡ列，Ｂ列である場合を説明する図である。
【図４】光源と原稿のサイズと画像読取時の原稿の位置との関係を説明する上面図であり、原稿サイズがインチサイズである場合を説明する図である。
【図５】（ａ）は図３，図４中の最後端の光源ユニットの拡大図である。（ｂ）は（ａ）のＡ−Ａ線矢視図である。（ｃ）は（ａ）のＢ−Ｂ線矢視図である。
【符号の説明】
【００５５】
１０……照明装置、１１……画像読取装置、１２……光源、１３……結像レンズ、１４……ＣＣＤ（固体撮像素子）、１５……駆動装置（移動装置）、２５……光源用メイン基板（メイン基板）、６０……補助基板、６４〜６９……フック（ホルダ）、Ｌ１〜Ｌ２２……ＬＥＤ素子（光源素子）、Ｐ……所定のピッチ、Ｕ１……光源ユニット、
【図１】
2007300304.tif 000003
【図２】
2007300304.tif 000004
【図３】
2007300304.tif 000005
【図４】
2007300304.tif 000006
【図５】
2007300304.tif 000007